(57)【特許請求の範囲】
【請求項１】
本体と、前記本体に装着可能であり、フィルムを取り付けるためのフィルムホルダと、前記本体に取り付けられ、前記本体側に倒された不使用位置と前記本体から起こされた使用位置との間において回動可能な液晶モニタと、前記フィルムホルダの前記本体への装着動作に連動して前記液晶モニタを不使用位置から使用位置へ回動させる液晶モニタ回動機構とを備えたことを特徴とする画像読取装置。
【請求項２】
前記液晶モニタ回動機構が、前記フィルムホルダに押圧されることによって前記液晶モニタを使用位置へ回動させることを特徴とする請求項１に記載の画像読取装置。
【請求項３】
前記液晶モニタ回動機構が、前記液晶モニタに係合して前記不使用位置に保持するレバ−部材と、前記液晶モニタを前記使用位置側に付勢するバネ部材とを備え、前記フィルムホルダがレバ−部材を押圧して回転させることにより、前記液晶モニタが前記レバ−部材から解放され、前記バネ部材により付勢されて前記使用位置に回動することを特徴とする請求項２に記載の画像読取装置。
【発明の詳細な説明】
【０００１】
【発明の属する技術分野】
本発明は、フィルムに記録された画像を光学センサによって読取る画像読取装置に関する。
【０００２】
【従来の技術】
従来画像読取装置は、これに接続されたコンピュ−タのディスプレイ装置の画面上に表示されたコントロ−ルバ−等をマウスを用いてクリックすることにより制御されるように構成されている。これに対して出願人は、特願平１１−５２７９号において、スタンドアロンモードすなわちコンピュ−タとは独立に動作可能にするため、液晶モニタを有する画像読取装置を提案した。すなわち、この画像読取装置では、液晶モニタの画面に表示されたコントロ−ルバ−等を操作することにより画像の読取動作が実行される。なおコンピュ−タを用いるリモ−トモ−ドでは、液晶モニタには、画像読取装置の動作状態等を示すパラメ−タ等が表示可能である。
【０００３】
【発明が解決しようとする課題】
上記出願において提案された画像読取装置の液晶モニタは、不使用時には画像読取装置の本体側に倒されており、使用時にオペレ−タによって起こされる。しかし、液晶モニタを使用する度に起こす操作は煩わしい。
【０００４】
本発明は、液晶モニタの使用時に、液晶モニタがオペレ−タの操作なしに自動的に起こされるように構成された画像読取装置を提供することを目的としている。
【０００５】
【課題を解決するための手段】
本発明に係る画像読取装置は、本体と、本体に装着可能であり、フィルムを取り付けるためのフィルムホルダと、本体に取り付けられ、本体側に倒された不使用位置と本体から起こされた使用位置との間において回動可能な液晶モニタと、フィルムホルダの前記本体への装着動作に連動して液晶モニタを不使用位置から使用位置へ回動させる液晶モニタ回動機構とを備えたことを特徴としている。
【０００６】
液晶モニタ回動機構は、フィルムホルダに押圧されることによって液晶モニタを使用位置へ回動させるように構成されることが好ましい。この場合、液晶モニタ回動機構は例えば、液晶モニタに係合して不使用位置に保持するレバ−部材と、液晶モニタを使用位置側に付勢するバネ部材とを備え、フィルムホルダがレバ−部材を押圧して回転させることにより、液晶モニタがレバ−部材から解放され、バネ部材により付勢されて使用位置に回動するように構成される。
【０００７】
【発明の実施の形態】
以下、本発明の実施形態を図面を参照して説明する。
図１は、本発明の一実施形態である画像読取装置を示すブロック図である。
【０００８】
この画像読取装置において用いられる被読取原稿Ｍは透過原稿（ネガフィルム）であり、このフィルムにはカラー画像が記録されている。フィルムＭは原稿移送機構１０によって矢印Ａ方向に間欠的に移送される。フィルムＭの通過経路の上方には光源２０とシリンドリカルレンズ２３が配設され、また下方には結像レンズ３１とラインセンサ３０が設けられている。光源２０の点灯と消灯は光源駆動回路４１によって、またラインセンサ３０による画像の検出動作はラインセンサ駆動回路４２によって制御される。原稿移送機構１０、光源駆動回路４１およびラインセンサ駆動回路４２はシステムコントロール回路４０から出力される指令信号に従って動作する。
【０００９】
ラインセンサ３０から読み出された画像データはアンプ４３により増幅され、Ａ／Ｄ変換器４４によってデジタル信号に変換される。デジタルの画像データは、画像処理回路４５においてシェーディング補正を施された後、メモリ４６に一旦格納される。この画像データはメモリ４６から読み出され、色補正、ガンマ補正等の所定の演算処理を施される。この画像データは、インターフェース回路４７において所定のフォーマットに従ったビデオデ−タに変換され、入出力端子４８を介して、この画像読取装置に接続されたコンピュータ９０に出力可能である。画像処理回路４５とインターフェース回路４７は、システムコントロール回路４０により制御される。
【００１０】
システムコントロール回路４０には、内部ビデオ用メモリ５１とデジタルエンコーダ５２が接続され、デジタルエンコーダ５２には液晶モニタ５３とビデオ出力端子５４が接続されている。ビデオ用メモリ５１には、メモリ４６から読み出された画像データが例えばＲ、Ｇ、Ｂのデジタル画像データの形式で格納される。この画像データは、デジタルエンコーダ５２においてアナログのＲ、Ｇ、Ｂの画像データに変換されて液晶モニタ５３に出力され、ラインセンサ３０によって読み取られたカラ−画像が表示される。またデジタルエンコーダ５２では、ビデオ用メモリ５１から読み出された画像データに基づいてコンポジットのビデオ信号が生成され、ビデオ出力端子５４から外部の映像表示装置（図示せず）に出力される。
【００１１】
システムコントロール回路４０にはバックライト駆動回路５５が接続されており、バックライト駆動回路５５により、液晶モニタ５３のバックライト５６のオンオフ制御が行なわれる。さらにシステムコントロール回路４０には、トラックボール５７とクリックボタン５８（図３参照）を備えたスイッチ６１が接続されている。
【００１２】
入出力端子４８にはコンピュ−タ８０が接続されており、コンピュ−タ８０によって画像読取装置の動作が制御可能である。コンピュ−タ８０には、ディスプレイ装置９１が接続され、またディスプレイ装置９１によって表示される画像に対応したビデオデ−タを格納するためのビデオ用メモリ９２が設けられている。入出力端子４８から出力されたビデオデ−タはビデオ用メモリ９２に格納され、またディスプレイ装置９１に転送される。これによりディスプレイ装置９１によって、画像読取装置により読み取られたカラ−画像が表示される。
【００１３】
図２は画像読取装置を前方から見た斜視図である。
本体１７の上面には液晶モニタ５３が枢着され、矢印Ｂに沿って回動自在である。液晶モニタ５３は、画面５３ａが下になる方向に回転して本体１７の上面に当接する。本体１７の上面には凹部１８が形成されている。トラックボール５７とクリックボタン５８は凹部１８に設けられ、液晶モニタ５３が本体１７側に倒された状態において、液晶モニタ５３に干渉しないように配置されている。トラックボール５７は液晶モニタ５３の画面５３ａに表示されるカーソルを移動させるために用いられる。クリックボタン５８は、画面５３ａに表示されるボタンの選択等のために用いられる。
【００１４】
本体１７の前面には、電源のオンオフ切替えを行なうための電源スイッチ６４と表示ランプ６３が設けられている。また前面には、フィルムＭ（図１参照）を本体１７に挿入するためのフィルム挿入口６５が形成されている。
【００１５】
図３は画像読取装置を後方から見た斜視図である。
本体１７の背面には、ビデオ出力端子５４と電力供給コネクタ６２と入出力端子４８が設けられている。ビデオ出力端子５４には、ケーブルを介して映像表示装置が接続される。電力供給コネクタ６２にはＡＣアダプタプラグ６７が接続され、入出力端子４８には、ケーブルを介してコンピュータ８０が接続される。
【００１６】
図４は原稿移送機構１０、光源２０およびラインセンサ３０を示している。ネガフィルムＭは枠状のホルダ１１に支持され、ホルダ１１は板状のステージ１２に止め具１３によって固定される。ステージ１２の近傍には、ホルダ１１の有無を検出するためのセンサ２５が設けられている。ステージ１２には、フィルムＭに対応した位置に、図示しない開口が形成されている。ステージ１２の側端面にはラック１４が形成され、このラック１４には原稿送りモータ１５の出力軸に設けられたピニオン１６が噛合している。原稿送りモータ１５はシステムコントロール回路４０の制御に基づいて駆動され、フィルムＭの位置が制御される。すなわち、ラック１４、原稿送りモータ１５、ピニオン１６によって、原稿移送機構１０が構成される。
【００１７】
光源２０はステージ１２の上方に位置し、レッド（Ｒ）、グリーン（Ｇ）およびブルー（Ｂ）の光を出射する発光素子２１Ｒ、２１Ｇ、２１Ｂを有している。光源２０とステージ１２の間には、ステージ１２の幅方向に延びるシリンドリカルレンズ２３が配設されている。
【００１８】
ステージ１２の下方であって光源２０に対応した位置には、ミラー３３（図１では省略されている）が配設されている。シリンドリカルレンズ２３とミラー３３はステージ１２の幅方向に延びている。ミラー３３はステージ１２に対して約４５度だけ傾斜している。またステージ１２の下方であってミラー３３に対向した位置には結像レンズ３１が設けられている。結像レンズ３１の後方にはラインセンサ３０が配設され、ラインセンサ３０はミラー３３に平行に延びている。
【００１９】
光源２０の発光素子２１Ｒ、２１Ｇ、２１Ｂは、フィルムＭに記録された画像の読取動作時、光源駆動回路４１の制御により、所定の順序で発光し、各発光素子から出射された光はシリンドリカルレンズ２３によって集光され、フィルムＭ上にライン状に照射される。これにより、フィルムＭに記録された画像が結像レンズ３１を介してラインセンサ３０の受光面に結像される。
【００２０】
図５は、液晶モニタ５３の支持構造を示しており、画像読取装置の本体１７は想像線によって示されている。
【００２１】
液晶モニタ５３の下端部は、本体１７の中に設けられた支持部材７１に枢着されている。すなわち液晶モニタ５３は、画面５３ａ（図２参照）側が本体１７の上面に当接する方向に倒された不使用位置と、本体１７から起こされた使用位置（図５に示された位置）との間において、矢印Ｂに沿って回動可能である。液晶モニタ５３の下端部には歯５３ｂが形成され、この歯５３ｂには、歯車７２が噛合している。歯車７２は図示しない摩擦部材によって、その回転運動に摩擦抵抗が付与され、回転しにくくなるように構成されている。
【００２２】
本体１７の中には固定ピン７３とストッパピン７４が設けられ、固定ピン７３にはバネ部材７５が固定されている。倒立バネ７５の一方の端部７７はストッパピン７４に係止し、バネ部材７５の他方の端部７６は液晶モニタ５３の中に形成された係止部に係止する。バネ部材７５により、液晶モニタ５３は使用位置側に常時付勢される。
【００２３】
図６、７、８は液晶モニタ５３が不使用位置と使用位置の間において切り替わる動作を示している。レバ−部材８１は支持ピン８２によって回転自在に支持され、支持ピン８２にはレバ−戻りバネ８３が取り付けられている。レバ−戻りバネ８３の一方の端部８４はストッパピン８５に係止し、レバ−戻りバネ８３の他方の端部８６はレバ−部材８１に係止している。これによりレバ−部材８１は、図の時計方向に常時付勢され、レバ−当接ピン８９に当接する位置まで回転可能である。レバ−部材８１の上端部には第１の係合部８７が形成され、また下端部にはカムフォロワ８８が回転自在に設けられている。係合部８７は液晶モニタ５３の下端部に形成された第２の係合部７８に係合可能であり、カムフォロワ８８はフィルムホルダ１１の縁部１１ａ（図４参照）の上面に係合可能である。すなわち、支持ピン８２からフィルムホルダ１１までの距離は、支持ピン８２とカムフォロワ８８の軸心間長さよりも短い。
【００２４】
次に本実施形態の作用を説明する。
フィルムホルダ１１が本体１７に装着されない非作動時、図６に示すように、レバ−部材８１はレバ−戻りバネ８３により、レバ−当接ピン８９に当接した位置にある。この状態において、液晶モニタ５３は不使用位置すなわち倒された位置にあり、その上面５３ｃが、本体１７の凹部１８（図２参照）とは反対側の部分の上面１７ａと略同一の平面になる。このようにして液晶モニタ５３は不使用位置に保持される。
【００２５】
図６の状態において、フィルムホルダ１１が本体１７に装着されて矢印Ｃ方向に押し入れられ、フィルムホルダ１１がレバ−部材８１のカムフォロワ８８に係合すると、図７に示すように、レバ−部材８１はフィルムホルダ１１に押圧され、レバ−戻りバネ８３に抗して矢印Ｄ方向に回転する。すなわち、液晶モニタ５３の第２の係合部７８は第１の係合部８７から解放される。これにより液晶モニタ５３はバネ部材７５に付勢されて矢印Ｅ方向へ回動する。このとき、歯車７２の摩擦作用により、液晶モニタ５３は比較的緩やかに回動し、その背面が本体１７の縁部１７ｂに当接する位置すなわち使用位置において停止する。
【００２６】
液晶モニタ５３が図７に示す使用位置に定めれている状態において、オペレ−タによってフィルムホルダ１１が矢印Ｃの反対方向に抜き取られると、レバ−部材８１はレバ−戻りバネ８３によって矢印Ｄの反対方向に回転し、レバ−当接ピン８９に当接した位置すなわち図６に示す位置において停止する。ここでオペレ−タによって液晶モニタ５３が不使用位置側に押されると、図８に示すように、液晶モニタ５３は矢印Ｆ方向に回動して、第２の係合部７８が第２の係合部７８に当接し、レバ−部材８１は矢印Ｄ方向に押されて回転する。さらに液晶モニタ５３が押され、第２の係合部７８が第１の係合部８７を乗り越えて図６に示す不使用位置に定められると、レバ−部材８１はレバ−戻りバネ８３の作用により、矢印Ｄの反対方向に回転し、レバ−当接ピン８９に当接した位置において停止する。
【００２７】
以上のように本実施形態は、フィルムホルダ１１の本体１７への装着動作に連動して、液晶モニタ５３がバネ部材７５によって不使用位置から使用位置へ回転変位するように構成された液晶モニタ回動機構が設けられている。したがって、オペレ−タが液晶モニタ５３を不使用位置から使用位置へ起こす操作が不要になる。
【００２８】
なお、液晶モニタ回動機構の構成は図示された実施形態には限定されず、例えばモ−タ等の電気的な構成を採用してもよい。
【００２９】
【発明の効果】
以上のように本発明によれば、液晶モニタはその使用時に自動的に起こされ、オペレ−タの操作が不要になる。
【図面の簡単な説明】
【図１】本発明の一実施形態である画像読取装置を示すブロック図である。
【図２】画像読取装置を前方から見た斜視図である。
【図３】画像読取装置を後方から見た斜視図である。
【図４】原稿移送機構、光源およびラインセンサを示す斜視図である。
【図５】液晶モニタの支持構造を示す斜視図である。
【図６】液晶モニタが不使用位置にある状態を示す図である。
【図７】液晶モニタが使用位置にある状態を示す図である。
【図８】液晶モニタが使用位置から不使用位置へ切り換えられるときの状態を示す図である。
【符号の説明】
１１  フィルムホルダ
１７  本体
５３  液晶モニタ
７５  バネ部材
８１  レバ−部材
８３  レバ−戻りバネ
【図１】
0003752123.tif 000002
【図２】
0003752123.tif 000003
【図３】
0003752123.tif 000004
【図４】
0003752123.tif 000005
【図５】
0003752123.tif 000006
【図６】
0003752123.tif 000007
【図７】
0003752123.tif 000008
【図８】
0003752123.tif 000009